(57)【要約】【課題】温度検出の応答性を維持できる尿温測定装置を提供することを目的とする。【解決手段】温度検出素子により尿温を測定する温度検出部と、前記温度検出部で測定した前記尿温の温度変化率を算出し、尿温検出開始から尿温検出終了までの間における前記温度変化率の絶対値の最大値が所定値以下であることを検知すると、前記温度検出部のクリーニング要求信号を出力する制御部と、を備えたことを特徴とする尿温測定装置が提供される。【選択図】図２
2010038732.tif 000002
【特許請求の範囲】
【請求項１】
温度検出素子により尿温を測定する温度検出部と、
前記温度検出部で測定した前記尿温の温度変化率を算出し、尿温検出開始から尿温検出終了までの間における前記温度変化率の絶対値の最大値が所定値以下であることを検知すると、前記温度検出部のクリーニング要求信号を出力する制御部と、
を備えたことを特徴とする尿温測定装置。
【請求項２】
前記クリーニング要求信号を受けると、クリーニング時期であることを報知する表示部をさらに備えたことを特徴とする請求項１記載の尿温測定装置。
【請求項３】
前記表示部は、前記温度検出部で測定した尿温を報知する表示パネルを有し、前記温度検出部がクリーニング時期であることを前記表示パネルにおいて報知することを特徴とする請求項２記載の尿温測定装置。
【請求項４】
前記クリーニング要求信号を受けると、尿石除去用液体を前記温度検出部に供給する尿石除去部をさらに備えたことを特徴とする請求項１記載の尿温測定装置。
【発明の詳細な説明】
【技術分野】
【０００１】
本発明の態様は、一般的に、尿温測定装置に関し、具体的には放尿された尿を受尿して尿温を測定することができる尿温測定装置に関する。
【背景技術】
【０００２】
短時間で体温を精度良く測定するために、体内から排泄された尿の温度を測定する装置が提案されている。これらの装置は、排泄された尿を便器または便器に設けた採尿容器で受けて、採尿容器などに設けたサーミスタで尿温を検出する。しかしながら、尿温は一般的に約３６℃近傍であるのに対して、便器や採尿容器はそれより低い温度であるため、排泄した尿は便器や採尿容器で冷えてしまう。そのため、精度良く尿温を測定できないという問題がある。
【０００３】
これに対して、採尿容器で採尿した尿を採尿容器に溜めながらも、古い尿を新しい尿に置換しつつ尿温を検出する装置がある（特許文献１および２）。特許文献１に記載された装置は、便器に対して採尿容器（採尿器）を回動させて、採尿容器に尿を溜めながら、古い尿を新しい尿と置換しつつ尿の温度を測定する。また、特許文献２に記載された装置は、便器に採尿容器（尿温検出部）を設けて、採尿容器に尿を溜めながら、古い尿を新しい尿と置換しつつ尿の温度を測定する。特許文献１および２に記載された装置によれば、古い尿は排出され、新しい尿が供給されるため、採尿容器によって尿が冷えることを抑制できる。
【０００４】
しかしながら、これらの装置を長時間使用することによって、尿に含まれるカルシウム成分などがサーミスタに付着し堆積すると、サーミスタの応答性が低下し、尿温の測定時間が長くなるという問題がある。さらに、尿温の測定時間が長くなると、尿の排泄中に尿温の測定が完了しないおそれがある。
【特許文献１】特開２００８−８９５２０号公報
【特許文献２】特開昭６３−１７１９３３号公報
【発明の開示】
【発明が解決しようとする課題】
【０００５】
本発明は、かかる課題の認識に基づいてなされたものであり、温度検出の応答性を維持できる尿温測定装置を提供することを目的とする。
【課題を解決するための手段】
【０００６】
第１の発明は、温度検出素子により尿温を測定する温度検出部と、前記温度検出部で測定した前記尿温の温度変化率を算出し、尿温検出開始から尿温検出終了までの間における前記温度変化率の絶対値の最大値が所定値以下であることを検知すると、前記温度検出部のクリーニング要求信号を出力する制御部と、を備えたことを特徴とする尿温測定装置である。  
この尿温測定装置によれば、温度検出部の汚れを尿温検出時の温度変化率によって判断するため、温度検出部の汚れを確実に把握することができ、温度検出部のクリーニング時期を的確に報知することができる。
【０００７】
また、第２の発明は、第１の発明において、前記クリーニング要求信号を受けると、クリーニング時期であることを報知する表示部をさらに備えたことを特徴とする尿温測定装置である。  
この尿温測定装置によれば、温度検出部のクリーニング時期を使用者に報知して、クリーニングを促すことができる。そのため、使用者が温度検出部をクリーニングすることにより、温度検出部による温度検出の応答性を維持することができる。
【０００８】
また、第３の発明は、第２の発明において、前記表示部は、前記温度検出部で測定した尿温を報知する表示パネルを有し、前記温度検出部がクリーニング時期であることを前記表示パネルにおいて報知することを特徴とする尿温測定装置である。  
この尿温測定装置によれば、温度検出部のクリーニング時期を報知する表示部と、温度検出部で測定した尿温を報知する表示部と、を１つの表示部で行うことができるため、尿温測定装置を簡略化することができる。また、温度検出部のクリーニング時期を文字を用いたメッセージにより報知できるため、使用者はその報知内容をより認識しやすい。
【０００９】
また、第４の発明は、第１の発明において、前記クリーニング要求信号を受けると、尿石除去用液体を前記温度検出部に供給する尿石除去部をさらに備えたことを特徴とする尿温測定装置である。  
この尿温測定装置によれば、温度検出部がクリーニング時期になると、自動的に尿石除去用液体が供給される。そのため、使用者が温度検出部のクリーニングを行うことなく、温度検出部がクリーニングされ、温度検出の応答性を維持することができる。
【発明の効果】
【００１０】
本発明の態様によれば、温度検出の応答性を維持できる尿温測定装置が提供される。
【発明を実施するための最良の形態】
【００１１】
以下、本発明の実施の形態について図面を参照しつつ説明する。なお、各図面中、同様の構成要素には同一の符号を付して詳細な説明は適宜省略する。  
図１は、本発明の第１の実施の形態にかかる尿温測定装置が設置されたトイレ室を例示する模式図である。  
また、図２は、本実施形態にかかる尿温測定装置の構成を例示するブロック図である。  また、図３は、本実施形態の受尿部を分解して斜め上方から眺めた分解斜視図である。
【００１２】
本実施形態にかかる尿温測定装置は、例えば側壁１０ａなどに隣接したライニング１２の内部に設けられた尿温測定部１００と、例えば側壁１０ｂなどに設けられた表示部２００と、を備えている。尿温測定部１００は制御部１１０を有しており、その制御部１１０は後に詳述するように、温度検出部１２１で検知した尿の温度（尿温）の温度変化率を算出することができる。また、尿温測定部１００はトランシーバ１６０を有しており、表示部２００が有するトランシーバ２６０を介して表示部２００との間で信号の送受信（通信）を行うことができる。そこで、後に詳述するように、制御部１１０は尿温の温度変化率に応じて、温度検出部１２１のクリーニングを要求する信号を表示部２００に出力することができる。
【００１３】
本実施形態にかかる尿温測定装置は、使用者が放尿した尿を受尿する受尿部１２０と、スイングアーム１３２を介して受尿部１２０を回動させるスイングアーム駆動部１３０と、例えば強酸性洗剤などの尿石除去用液体を受尿部１２０に噴射して受尿部１２０に付着した尿石を除去する尿石除去部１４０と、受尿部１２０を洗浄する給水弁としての電磁弁１５０と、をさらに備えている。但し、尿石除去部１４０は、必ずしも備えられていなくともよい。
【００１４】
受尿部１２０は、図３に表したように、受尿した尿を一時的に貯留する受尿器１２４と、図示しない温度検出素子により尿の温度を測定する温度検出部１２１と、受尿器１２４の内部を照射する発光部１２２と、受尿器１２４の上に設けられた受尿メッシュ１２５と、を有する。温度検出部１２１は、受尿器１２４に溜まった尿の温度を測定し、配線１２７を介して制御部１１０に測定結果を送信する。発光部１２２は、受尿器１２４の内部を明るく照射することで、受尿部１２０を見やすくして尿を当てやすくすることができる。また、受尿メッシュ１２５は、受尿部１２０が受尿した時の尿の泡立ちを防止する機能や、受尿した尿が飛び跳ねることを防止する機能などを有している。
【００１５】
制御部１１０は、ドライバ１７０ａ、１７０ｂ、１７０ｃ、１７０ｄを介して、スイングアーム駆動部１３０と、発光部１２２と、尿石除去部１４０と、電磁弁１５０と、をそれぞれ制御することができる。そして、制御部１１０は、スイングアーム駆動部１３０を駆動してスイングアーム１３２を回動させ、スイングアーム１３２の一端に設けられた受尿部１２０を洋式腰掛便器１４（以下、単に「便器」という。）のボウル１４ａ内に移動させることができる。なお、図１に表した受尿部１２０は、受尿位置にある状態を表している。一方、使用者が尿温測定装置を使用しない場合には、制御部１１０はスイングアーム駆動部１３０を駆動してスイングアーム１３２を回動させ、受尿部１２０を図示しない収納部に収納できる。そのため、使用者が尿温測定装置を使用しない場合に、受尿部１２０が用便の邪魔になることはない。この収納部については、後に詳述する。
【００１６】
表示部２００は、尿温測定開始スイッチ２２０ａや洗浄スイッチ２２０ｂなどが設けられたスイッチ２２０と、尿温の測定結果などを報知（表示）する表示パネル２３０と、を有する。使用者が尿温測定開始スイッチ２２０ａを操作すると、その操作信号は入力回路２２２を介して制御部２１０に入力される。続いて、トランシーバ２６０を介して尿温測定開始の信号が尿温測定部１００に送信され、温度検出部１２１によって尿温が測定される。その測定結果は制御部１１０に送信され、さらにトランシーバ１６０を介して表示部２００に送信される。制御部２１０は、ドライバ２７０を介して表示パネル２３０に測定結果（尿温）を表示することができる。
【００１７】
次に、本実施形態にかかる尿温測定装置の動作の具体例について、図面を参照しつつ説明する。  
図４は、本実施形態にかかる尿温測定装置の動作の具体例を例示するフローチャート図である。
【００１８】
まず、使用者が尿温測定開始スイッチ２２０ａを操作して「ＯＮ」にすると（ステップＳ１０２）、その操作信号がトランシーバ２６０を介して尿温測定部１００に送信される。制御部１１０はその操作信号を受け、スイングアーム１３２を駆動して受尿部１２０を受尿位置に位置決めする（ステップＳ１０４）。
【００１９】
続いて、使用者が放尿を開始して、受尿器１２４に尿を溜めることで、温度検出部１２１は受尿器１２４に溜まった尿温の測定を開始する（ステップＳ１０６）。使用者が放尿を済ませるまでには温度検出部１２１による測定温度が安定するので、そこで温度検出部１２１は尿温の測定を終了する（ステップＳ１０８）。続いて、尿温測定部１００の制御部１１０は、温度検出部１２１の測定結果の中から最高温度を算出し、その最高温度をトランシーバ１６０を介して表示部２００に送信する。表示部２００の制御部２１０は、その最高温度の情報を受信すると、表示パネル２３０に最高温度を表示する（ステップＳ１１０）。この最高温度は、すなわち使用者の体温を表している。
【００２０】
しかしながら、尿温測定装置を長時間使用していると、尿に含まれるカルシウム成分などが尿石となって温度検出部１２１に付着し堆積して、温度検出部１２１の応答性が低下するおそれがある。温度検出部１２１の応答性が低下すると、測定温度が略安定した最高温度に達するまでに時間がかかり、結果として尿の排泄中に尿温の測定が完了しないおそれがある。すなわち、尿の排泄中には実体温よりも低い温度までしか測定温度が上昇せず、その状態のままで尿の排泄が終了し、温度測定が終了するおそれがある。この場合には、精度良く体温を測定できない。
【００２１】
このことについて、さらに図面を参照しつつ説明する。  
図５は、尿温測定装置の使用経過日数に対する温度変化率の最大値の推移を例示したグラフ図である。  
また、図６は、尿温測定時間に対する尿温の推移を例示したグラフ図である。  
なお、図５は、尿温測定装置の使用開始から温度検出部１２１をクリーニングせずに使用継続（約１０回程度／日）した場合における、測定温度（実測値）の変化率の最大値の一例を表している。さらに、図６は、尿温測定装置の使用開始直後における測定時間に対する測定温度（尿温）の実測値と、尿温測定装置の使用開始から１２０日経過後における測定時間に対する測定温度（尿温）の実測値と、の一例を表している。  
なお、ここで、温度変化率とは、サンプリング周期（０．２（秒））ごとの温度変化率を指す。
【００２２】
図５に表したように、尿温測定装置の使用開始から約６０日程度経過するまでは、温度の変化率の最大値は約０．９（℃／０．２秒）で略一定である。ここで、「０．２秒」の間における変化率を表示しているのは、本実測時における温度検出部１２１のサンプリング周期が「０．２秒」であったためである。
【００２３】
続いて、尿温測定装置の使用開始から約６０日程度経過した後には、温度の変化率の最大値が低下し始め、尿温測定装置の使用開始から約１２０日程度経過した後には、温度の変化率の最大値は約０．３（℃／０．２秒）で略一定になる。すなわち、使用開始から約１２０日程度経過した後における温度の変化率の最大値は、使用開始から約６０日程度経過するまでの温度の変化率の最大値に対して約３分の１程度にまで低下している。これは、前述したように、尿に含まれるカルシウム成分などが尿石となって温度検出部１２１に付着し堆積して、温度検出部１２１の応答性が低下したためである。
【００２４】
このことは、図６に表したグラフ図からも読み取ることができる。尿温測定装置の使用開始直後における温度の変化率の最大値は、測定時間が３．４秒から３．６秒までの間における変化率０．９（℃／０．２秒）である。一方、尿温測定装置の使用開始から１２０日経過後における温度の変化率の最大値は、測定時間が３．８秒から４秒までの間における変化率０．３（℃／０．２秒）である。
【００２５】
また、図６に表したグラフ図によれば、尿温測定装置の使用開始直後において、使用者が受尿部１２０に尿を当てることで温度検出部１２１が測定を開始してから、測定温度が略安定した最高温度に達するまでの時間は、５．４（８．６−３．２）秒である。一方、尿温測定装置の使用開始から１２０日経過後において、使用者が受尿部１２０に尿を当てることで温度検出部１２１が測定を開始してから、測定温度が略安定した最高温度に達するまでの時間は、１２．６（１５．８−３．２）秒である。
【００２６】
これによれば、尿温測定装置の使用開始直後においては、例えば温度検出部１２１が測定を開始してから７秒後には、測定温度が略安定した最高温度に達していることになる。これに対して、尿温測定装置の使用開始から１２０日経過後においては、例えば温度検出部１２１が測定を開始してから７秒後であっても、未だ測定温度が略安定せず最高温度に達していないことになる。すなわち、尿温測定装置の使用開始から１２０日経過後において、使用者の尿の排泄が約１２秒以内に終了した場合には、実体温よりも低い温度までしか測定温度が上昇せず、精度良く体温を測定できない。
【００２７】
そこで、図４に表したフローチャート図に戻って説明を続けると、尿温測定部１００の制御部１１０は、温度検出部１２１の測定結果における最高温度の算出とは別に、尿温測定開始から尿温測定終了までの間における測定温度の変化率を算出する。あるいは、尿温測定開始から測定温度が略安定した最高温度に達するまでの間における測定温度の変化率を算出する。そしてさらに、その測定温度の変化率の最高値を算出する。測定開始から測定温度が略安定した最高温度に達するまでの間における測定温度の変化率を算出する場合には、図６に表したように、測定温度は一般的に上昇するため、制御部１１０は測定温度の上昇率を算出し、さらにその上昇率の最高値を算出することになる。
【００２８】
但し、夏などの気温が高い場合には、測定開始前における温度検出部１２１の温度が尿温よりも高いこともあり得る。その場合には、使用者が放尿した尿を受尿部１２０に当てると、温度検出部１２１の測定温度は低下する。そのため、制御部１１０は、測定開始時から測定温度が略安定した最低温度に達するまでの間における測定温度の低下率を算出することになる。したがって、制御部１１０は、測定温度の変化率の絶対値を算出することがより好ましい。
【００２９】
そして、制御部１１０は温度の変化率の絶対値の最大値が０．２〜０．４（℃／０．２秒）であるか否かを判定する（ステップＳ１１２）。制御部１１０は、温度の変化率の絶対値の最大値が０．２〜０．４（℃／０．２秒）である場合には（ステップＳ１１２：ＹＥＳ）、前回の尿温の測定時における温度の変化率の絶対値の最大値が０．２〜０．４（℃／０．２秒）であるか否かを確認する（ステップＳ１１４）。前回の測定時と今回の測定時とで２回連続で温度の変化率の絶対値の最大値が０．２〜０．４（℃／０．２秒）である場合には（ステップＳ１１４：ＹＥＳ）、制御部１１０は温度検出部１２１のクリーニング要求信号を出力する（ステップＳ１１６）。
【００３０】
なお、ステップＳ１１４において、前回の測定時の温度の変化率の絶対値の最大値が０．２〜０．４（℃／０．２秒）であるか否かを確認するのは、例えばノイズによって制御部１１０がクリーニング要求信号を出力することを防止するためである。すなわち、尿がうまく受尿部１２０にかからず飛沫がかかる程度である場合には、温度検出部１２１が尿温を適正に測定できなくなり、測定結果はノイズとなるが、例えばそのようなノイズによって偶発的に１回だけ温度の変化率の絶対値の最大値が０．２〜０．４（℃／０．２秒）になった場合にも制御部１１０がクリーニング要求信号を出力すると、使用者が困惑し、紛らわしさを感じるおそれがあるためである。
【００３１】
制御部１１０から出力されたクリーニング要求信号は、トランシーバ１６０を介して表示部２００に送信される。表示部２００の制御部２１０は、そのクリーニング要求信号を受信し、温度検出部１２１がお手入れ（クリーニング）時期であることを表示パネル２３０に表示する（ステップＳ１１８）。
【００３２】
したがって、本実施形態にかかる尿温測定装置によれば、使用者は、この表示内容を確認することで、温度検出部１２１がお手入れ（クリーニング）時期であることを認識できる。そして、使用者が温度検出部１２１に付着し堆積したカルシウム成分などの尿石を除去することにより、温度検出部１２１の応答性を回復させることができる。そのため、本実施形態にかかる尿温測定装置は、温度検出の応答性を維持することができる。
【００３３】
続いて、制御部１１０は、スイングアーム１３２を駆動して受尿部１２０を収納部に収納する（ステップＳ１２０）。一方、ステップＳ１１２またはステップＳ１１４において、温度の変化率の絶対値の最大値が０．２〜０．４（℃／０．２秒）でない場合には（ステップＳ１１２：ＮＯ、またはステップＳ１１４：ＮＯ）、制御部１１０はクリーニング要求信号を出力することなく、スイングアーム１３２を駆動して受尿部１２０を収納部に収納する（ステップＳ１２０）。続いて、制御部１１０は、電磁弁１５０を開放して洗浄水を受尿部１２０に噴射して、受尿部１２０の内部、すなわち受尿器１２４の内部や温度検出部１２１や発光部１２２を洗浄して（ステップＳ１２２）、尿温測定を終了する（ステップＳ１２４）。
【００３４】
なお、本具体例においては、温度の変化率の絶対値の最大値が０．２〜０．４（℃／０．２秒）であるときに、制御部１１０は温度検出部１２１のクリーニング要求信号を出力する場合を例に挙げて説明したが、これだけに限定されない。制御部１１０が温度検出部１２１のクリーニング要求信号を出力するのは、温度の変化率の絶対値の最大値が所定値（ここでは０．４（℃／０．２秒））以下であるときであってもよい。すなわち、制御部１１０が温度検出部１２１のクリーニング要求信号を出力する判断基準は、一定の幅を有する必要はなく、少なくとも１つの所定値（ここでは０．４（℃／０．２秒））を有していればよい。さらに、この所定値（ここでは０．４（℃／０．２秒））については、適宜変更することができる。
【００３５】
本具体例において、制御部１１０が温度検出部１２１のクリーニング要求信号を出力する判断基準の下限値（ここでは０．２（℃／０．２秒））を設定したのは、尿が温度検出部１２１に当たっていないにもかかわらず、制御部１１０がクリーニング要求信号を出力することをより確実に防止するためである。すなわち、下限値（ここでは０．２（℃／０．２秒））は、尿が温度検出部１２１に当たったことを確認するための閾値であると考えることができる。尿が温度検出部１２１に当たっていないにもかかわらず、制御部１１０がクリーニング要求信号を出力すると、使用者が困惑し、紛らわしさを感じるおそれがある。そのため、この動作を防止することはより好ましい。なお、この下限値（ここでは０．２（℃／０．２秒））については適宜変更することができ、また前述したように設定されなくともよい。
【００３６】
また、本具体例においては、温度検出部１２１のサンプリング周期が０．２（秒）である場合を例に挙げて説明したが、これだけに限定されず、温度検出部１２１のサンプリング周期は、例えば０．１（秒）であってもよいし０．３（秒）以上であってもよい。また、温度検出部１２１の測定温度の変化率を、０．２（秒）の間における温度変化量（℃）によって表したが、これだけに限定されない。例えば０．１（秒）の間における温度変化量（℃）によって表してもよいし、短い所定時間内での温度変化量（℃）によって表してもよいし、これらの温度変化量（℃）から算出した単位時間当たりの温度変化率（℃／秒）によって表してもよい。
【００３７】
次に、本発明の第２の実施の形態について説明する。  
図７は、本発明の第２の実施の形態にかかる尿温測定装置の収納部を切断した断面模式図である。  
なお、図７は、図１に表した尿温測定装置におけるＡ−Ａ断面に相当する。
【００３８】
第１および第２の実施の形態にかかる尿温測定装置は、前述したように、受尿部１２０を収納する収納部１６が設けられている。収納部１６は、便器１４に設けられてもよいし、便器１４に別体として取り付けられた部材に設けられてもよい。図７に表したように、回動軸１３４を中心として回動自在に軸支されたスイングアーム１３２が回動することにより、受尿部１２０はボウル１４ａ内を移動できる。そして、スイングアーム１３２が略水平状態にあるときに、受尿部１２０は収納部１６の内部に収納される。
【００３９】
本実施形態にかかる尿温測定装置には、図７に表したように、収納部１６の内部に尿石除去部１４０が設けられている。この尿石除去部１４０は、収納部１６に収納された状態の受尿部１２０に向かって、例えば強酸性洗剤などの尿石除去用液体を噴射できる。そして、尿石除去用液体が受尿部１２０の内部に設けられた温度検出部１２１や発光部１２２に付着した状態で所定時間放置されることにより、それらに付着した尿石を除去することができる。
【００４０】
なお、尿石除去用液体として強酸性洗剤を使用する場合には、尿石除去作業が終了した後に受尿部１２０の内部を水で洗浄し、強酸性洗剤を洗い流すことがより好ましい。また、その他の構造については、第１の実施の形態にかかる尿温測定装置と同様の構造を有する。
【００４１】
本実施形態にかかる尿温測定装置では、第１の実施の形態にかかる尿温測定装置と同様に、温度検出部１２１が測定した温度の変化率の絶対値の最大値が、所定値の範囲内になると、あるいは所定値以下になると、制御部１１０は温度検出部１２１のクリーニング要求信号を出力する。そして、尿石除去部１４０は、そのクリーニング要求信号を受信すると、収納部１６に収納された状態の受尿部１２０に向かって尿石除去用液体を噴射する。
【００４２】
これによれば、カルシウム成分などの尿石が温度検出部１２１に付着し堆積して、その温度検出部１２１がクリーニング時期になると、自動的に尿石除去用液体を受尿部１２０に供給する。そのため、使用者が温度検出部１２１のクリーニングを行うことなく、温度検出部１２１に付着した尿石を除去でき、温度検出の応答性を維持することができる。
【００４３】
次に、本実施形態にかかる尿温測定装置の動作の具体例について、図面を参照しつつ説明する。  
図８は、本実施形態にかかる尿温測定装置の動作の具体例を例示するフローチャート図である。
【００４４】
まず、使用者が尿温測定開始スイッチ２２０ａを操作して「ＯＮ」してから、制御部１１０が温度検出部１２１のクリーニング要求信号を出力するまでは、図４に関して前述した具体例の動作と同様である（ステップＳ１０２、ステップＳ１０４、ステップＳ１０６、ステップＳ１０８、ステップＳ１１０、ステップＳ１１２、ステップＳ１１４、ステップＳ１１６）。制御部１１０が温度検出部１２１のクリーニング要求信号を出力すると（ステップＳ１１６）、その信号はトランシーバ１６０を介して表示部２００に送信される。表示部２００の制御部２１０は、そのクリーニング要求信号を受信し、受尿部１２０の洗剤洗浄を行うことを表示パネル２３０に表示する（ステップＳ１５２）。
【００４５】
続いて、スイングアーム駆動部１３０は、制御部１１０からのクリーニング要求信号を受信すると、スイングアーム１３２を駆動して、受尿部１２０を収納部１６に収納させる（ステップＳ１５４）。続いて、制御部１１０は、電磁弁１５０を開放して洗浄水を受尿部１２０に噴射して、受尿部１２０の内部、すなわち受尿器１２４の内部や温度検出部１２１や発光部１２２の前洗浄を行う（ステップＳ１５６）。続いて、尿石除去部１４０は、制御部１１０からのクリーニング要求信号を受信すると、例えば強酸性洗剤などの尿石除去用液体を受尿部１２０内に注入あるいは噴射する（ステップＳ１５８）。
【００４６】
尿石除去部１４０が尿石除去用液体を受尿部１２０内に注入すると、スイングアーム駆動部１３０はスイングアーム１３２を駆動して、受尿部１２０を水平位置、すなわち略受尿位置に移動させる（ステップＳ１６０）。これは、受尿部１２０が収納部１６に収納された状態のままでは、尿石除去用液体が受尿部１２０の外に流れ出てしまい、十分に尿石を除去できないおそれがあるためである。続いて、受尿部１２０が略受尿位置にある状態で１８０（秒）経過すると（ステップＳ１６２：ＹＥＳ）、スイングアーム駆動部１３０は、スイングアーム１３２を駆動して、受尿部１２０を収納部１６に再び収納させる（ステップＳ１６４）。
【００４７】
続いて、制御部１１０は、電磁弁１５０を開放して洗浄水を受尿部１２０に噴射して、受尿部１２０の内部に付着した尿石除去用液体を洗い流す後洗浄を行い（ステップＳ１６６）、尿温測定を終了する（ステップＳ１６７）。  
一方、ステップＳ１１２またはステップＳ１１４において、温度の変化率の絶対値の最大値が０．２〜０．４（℃／０．２秒）でない場合には（ステップＳ１１２：ＮＯ、またはステップＳ１１４：ＮＯ）、図４に関して前述した具体例の動作と同様の動作を行う（ステップＳ１２０、ステップＳ１２２、ステップＳ１２４）。
【００４８】
なお、本具体例においても、図４に関して前述した具体例と同様に、制御部１１０が温度検出部１２１のクリーニング要求信号を出力するのは、温度の変化率の絶対値の最大値が所定値（ここでは０．４（℃／０．２秒））以下であるときであってもよい。すなわち、制御部１１０が温度検出部１２１のクリーニング要求信号を出力する判断基準は、一定の幅を有する必要はなく、少なくとも１つの所定値（ここでは０．４（℃／０．２秒））を有していればよい。
【００４９】
また、クリーニング要求信号を出力する判断基準（ここでは、０．４（℃／０．２秒）や０．２（℃／０．２秒））、および温度検出部１２１のサンプリング周期（ここでは、０．２（秒））については、図４に関して前述したように適宜変更することができる。さらに、尿石除去用液体を受尿部１２０に付着させた状態での放置時間（ここでは、１８０（秒））についても、適宜変更することができる。
【００５０】
以上説明したように、本発明の実施の形態によれば、温度検出部１２１が測定した温度の変化率の絶対値の最大値が、所定値の範囲内になると、あるいは所定値以下になると、制御部１１０は温度検出部１２１のクリーニング要求信号を出力する。そして、お手入れ（クリーニング）時期であることが表示パネル２３０に表示されることにより、使用者はそのことを認識でき、温度検出部１２１のクリーニング（尿石の除去）を行う。あるいは、自動的に尿石除去用液体を受尿部１２０に供給して、温度検出部１２１に付着した尿石を除去する。これにより、温度検出の応答性を維持することができる。
【００５１】
なお、本発明の実施の形態においては、クリーニング要求信号を出力する判断要因（判断材料）として温度の変化率の絶対値の最大値を用いたが、これだけに限定されない。例えば、測定開始時から所定時間あるいは所定期間における少なくともいずれかの温度の変化率の絶対値を用いてもよい。
【００５２】
また、尿温の測定結果などを報知（表示）する表示パネル２３０に、クリーニング時期であることを表示する例を挙げて説明したが、これだけに限定されず、例えば表示パネル２３０とは別体のＬＥＤ（Light Emitting Diode）などを点灯あるいは点滅させるなどしてクリーニング時期を報知してもよい。すなわち、表示部２００は、スイッチ２２０や表示パネル２３０を有しているものだけに限られず、クリーニング時期であることを報知できるものであればよい。
【００５３】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、尿温測定装置などが備える各要素の形状、寸法、材質、配置などや尿温測定部の設置形態などは、例示したものに限定されるわけではなく適宜変更することができる。つまり、例えば、尿温測定部は、ライニング１２の内部に設けられていなくともよく、便座に座った使用者の「おしり」などに向けて水を噴射する図示しない衛生洗浄装置の内部に設けられてもよい。  
また、前述した各実施の形態が備える各要素は、技術的に可能な限りにおいて組み合わせることができ、これらを組み合わせたものも本発明の特徴を含む限り本発明の範囲に包含される。
【図面の簡単な説明】
【００５４】
【図１】本発明の第１の実施の形態にかかる尿温測定装置が設置されたトイレ室を例示する模式図である。
【図２】本実施形態にかかる尿温測定装置の構成を例示するブロック図である。
【図３】本実施形態の受尿部を分解して斜め上方から眺めた分解斜視図である。
【図４】本実施形態にかかる尿温測定装置の動作の具体例を例示するフローチャート図である。
【図５】尿温測定装置の使用経過日数に対する温度変化率の最大値の推移を例示したグラフ図である。
【図６】尿温測定時間に対する尿温の推移を例示したグラフ図である。
【図７】本発明の第２の実施の形態にかかる尿温測定装置の収納部を切断した断面模式図である。
【図８】本実施形態にかかる尿温測定装置の動作の具体例を例示するフローチャート図である。
【符号の説明】
【００５５】
１０ａ、１０ｂ 側壁、  １２ ライニング、  １４ 洋式腰掛便器、  １４ａ ボウル、  １６ 収納部、  １００ 尿温測定部、  １１０ 制御部、  １２０ 受尿部、  １２１ 温度検出部、  １２２ 発光部、  １２４ 受尿器、  １２５ 受尿メッシュ、  １２７ 配線、  １３０ スイングアーム駆動部、  １３２ スイングアーム、  １３４ 回動軸、  １４０ 尿石除去部、  １５０ 電磁弁、  １６０ トランシーバ、  １７０ａ、１７０ｂ、１７０ｃ、１７０ｄ ドライバ、  ２００ 表示部、  ２１０ 制御部、  ２２０ スイッチ、  ２２０ａ 尿温測定開始スイッチ、  ２２０ｂ 洗浄スイッチ、  ２２２ 入力回路、  ２３０ 表示パネル、  ２６０ トランシーバ、  ２７０ ドライバ
【図１】
2010038732.tif 000003
【図２】
2010038732.tif 000004
【図３】
2010038732.tif 000005
【図４】
2010038732.tif 000006
【図５】
2010038732.tif 000007
【図６】
2010038732.tif 000008
【図７】
2010038732.tif 000009
【図８】
2010038732.tif 000010